(57)【要約】【課題】屋外コンセントからの盗電行為などを住居の居住者に知らせることが可能なインターホンシステムおよびインターホン親機を提供する。【解決手段】屋外コンセント４に流れ込む電流を検知する電流検知器５からの信号に基づいて屋外コンセント４の使用状態が変化したと判定されるときに、インターホン親機１が屋外コンセント４の使用状態の変化を住居の住民に報知するための音声メッセージを出力する。【選択図】図１
2009290347.tif 000002
【特許請求の範囲】
【請求項１】
住居の屋内に設置されたインターホン親機と住居の玄関先に設置されたドアホン子器とを通話可能に接続したインターホンシステムにおいて、
住居の屋外コンセントの使用状態を監視する屋外コンセント監視手段を設けて、当該屋外コンセント監視手段を前記インターホン親機に接続し、
前記インターホン親機が、屋外コンセントの使用状態が変化したときに当該屋外コンセントの使用状態の変化を報知することを特徴とするインターホンシステム。
【請求項２】
前記インターホン親機が、
前記屋外コンセント監視手段から出力された信号を入力する信号入力手段と、
前記信号入力手段に入力された信号に基づいて、屋外コンセントの使用状態が変化したと判定されるときに、屋外コンセントの使用状態の変化を音声出力する音声出力手段と、を備えることを特徴とする請求項１に記載のインターホンシステム。
【請求項３】
前記屋外コンセント監視手段は、屋外コンセントに流れ込む電流を検知することで、屋外コンセントの使用状態を監視することを特徴とする請求項１又は２に記載のインターホンシステム。
【請求項４】
前記検知手段は、屋外コンセントに対するプラグの抜き差しを検知することで、屋外コンセントの使用状態を監視することを特徴とする請求項１又は２に記載のインターホンシステム。
【請求項５】
住居の屋内に設置され、住居の玄関先に設置されたドアホン子器と通話可能に接続されたインターホン親機において、
住居の屋外コンセントの使用状態を監視する屋外コンセント監視手段から出力された信号を入力する信号入力手段と、
前記信号入力手段に入力された信号に基づいて、屋外コンセントの使用状態が変化したと判定されるときに、屋外コンセントの使用状態の変化を音声出力する音声出力手段と、を備えることを特徴とするインターホン親機。
【発明の詳細な説明】
【技術分野】
【０００１】
本発明は、インターホン親機とドアホン子器とを通話可能に接続したインターホンシステムに関する。
【背景技術】
【０００２】
従来、住居の屋内に設置されたインターホン親機と住居の玄関先に設置されたドアホン子器とを通話可能に接続して、住居の居住者と来訪者との間で通話を行えるようにしたインターホンシステムが広く普及している。また、近年では、この種のインターホンシステムに防犯機能を付加して、利用価値を高める様々な試みがなされている（例えば、特許文献１参照。）。
【０００３】
特許文献１には、インターホンシステムのドアホン子器に人体検知センサを内蔵して、この人体検知センサで人体を所定時間に亘って検知したときに、インターホン親機で警報音を鳴動させるとともに、ドアホン子器で警告音を鳴動させることが記載されている。
【特許文献１】特許第３５８２３０５号公報
【発明の開示】
【発明が解決しようとする課題】
【０００４】
ところで、インターホンシステムの利用環境となる住居には、屋外での電気製品の使用等を考慮して、屋外にコンセントが設置されることも多い。このような屋外コンセントを有する住居においては、屋外コンセントからの盗電を防止するための何らかの対策を講じることが求められる。
【０００５】
しかしながら、特許文献１に記載のインターホンシステムでは、ドアホン子器に内蔵した人体検知センサで不審者を検知する構成であるため、ドアホン子器の周辺に存在する不審者は検知できるものの、屋外コンセントがドアホン子器から離れた位置に設置されているとその屋外コンセントから盗電しようとする不審者を検知することができず、屋外コンセントからの盗電が行われても居住者にそれを知らせることができない。
【０００６】
本発明は、以上のような従来の実情に鑑みて創案されたものであって、屋外コンセントからの盗電行為などを住居の居住者に知らせることが可能なインターホンシステムおよびインターホン親機を提供することを目的としている。
【課題を解決するための手段】
【０００７】
本発明のインターホンシステムは、住居の屋外コンセントの使用状態を監視する屋外コンセント監視手段を設けて、当該屋外コンセント監視手段をインターホン親機に接続し、インターホン親機が、屋外コンセントの使用状態が変化したときに当該屋外コンセントの使用状態の変化を報知する構成とすることで、上述した課題を解決する。
【発明の効果】
【０００８】
本発明によれば、屋外コンセントの使用状態が変化したときに、その屋外コンセントの使用状態の変化がインターホン親機から報知されるので、屋外コンセントからの盗電行為などを住居の居住者に知らせることができる。
【発明を実施するための最良の形態】
【０００９】
以下、本発明の具体的な実施の形態について、図面を参照しながら詳細に説明する。
【００１０】
［第１実施形態］
図１は本発明を適用したインターホンシステムの一例を示すシステム構成図、図２はインターホン親機の機能的な構成を示すブロック図、図３はドアホン子器の機能的な構成を示すブロック図である。まず、これらの図を参照して本実施形態のインターホンシステムの構成について説明する。
【００１１】
本実施形態のインターホンシステムは、図１に示すように、住居の屋内に設置されるインターホン親機１と、住居の玄関先に設置されるドアホン子器２とを備える。これらインターホン親機１とドアホン子器２は、２線式信号線により相互に通話可能に接続されている。インターホン親機１には、住居に設置された分電盤３からの家庭用ＡＣ１００Ｖ電源が供給されている。また、このインターホン親機１に供給されるＡＣ１００Ｖ電源は、２線式信号線を介してドアホン子器２にも送電される。
【００１２】
また、本実施形態のインターホンシステムが適用される住居には、屋外に屋外コンセント４が設けられており、分電盤３からこの屋外コンセント４に流れ込む電流を、電流検知器５により検知する構成としている。この電流検知器５が屋外コンセント４に流れ込む電流を検知することで、屋外コンセント４の使用状態が監視される（屋外コンセント監視手段）。本実施形態のインターホンシステムでは、この電流検知器５を信号線によってインターホン親機１に接続し、電流検知器５から出力される信号をインターホン親機１が入力することで、屋外コンセント４の使用状態の変化をインターホン親機１にて判定できるようにしている。
【００１３】
インターホン親機１は、その構成を機能的に捉えた場合、図２に示すように、電源生成部１１と、信号入力部１２と、操作入力部１３と、状態表示部１４と、音声出力部１５と、通話制御部１６と、スピーカ１７と、マイク１８と、映像受信部１９と、映像表示部２０と、制御部２１とを備えた構成とされている。
【００１４】
電源生成部１１は、分電盤３からのＡＣ１００Ｖ電源の供給を受けて、インターホン親機１を動作させるための電源を生成する。この電源生成部１１により生成された電源は、電源供給部１２から２線式信号線を介してドアホン子器２にも供給され、ドアホン子器２を動作させるための電源としても利用される。
【００１５】
信号入力部１３は、上述したように屋外コンセント４に流れ込む電流を検知する電流検知器５から出力された信号、つまり、屋外コンセント４の使用状態を示す信号を入力して、制御部２１に伝送する。
【００１６】
操作入力部１４は、例えば操作ボタンの押圧操作など、住居の居住者がインターホン親機１を操作するための各種入力操作を受け付けて、その操作信号を制御部２１に伝送する。
【００１７】
状態表示部１４は、制御部２１による制御に従って、インターホン親機１の動作状態を例えばＬＥＤ等を用いたインジケータの点灯、点滅などにより表示する。
【００１８】
音声出力部１５は、信号入力部１２に入力された電流検知器５からの信号に基づいて屋外コンセント４の使用状態が変化したと判定されるときに、制御部２１による制御に従って、この屋外コンセント４の使用状態が変化したことを、音声メッセージなどによりスピーカ１７から出力させる。
【００１９】
通話制御部１６は、制御部２１による制御に従ってドアホン子器２との間でのインターホン親機１による通話を制御するものであり、マイク１８から入力された音声信号を２線式信号線を介してドアホン子器２に伝送するとともに、ドアホン子器２から２線式信号線を介して伝送された音声信号に応じてスピーカ１７を動作させて、ドアホン子器２からの音声を出力させる。また、この通話制御部１６は、ドアホン子器２から呼出し操作の操作信号が伝送された場合には、スピーカ１７から呼出し音を出力させる機能も有する。
【００２０】
映像受信部１９は、ドアホン子器２から２線式信号線を介して伝送された映像信号を受信して、映像表示部２０に伝送する。
【００２１】
映像表示部２０は、制御部２１による制御に従って動作し、映像受信部１９により受信されたドアホン子器２からの映像をモニタ画面に表示する。
【００２２】
制御部２１は、インターホン親機１の全体の動作を統括的に制御するものである。この制御部２１は、特に、本実施形態のインターホン親機１において特徴的な機能として、信号入力部１２に入力された電流検知器５からの信号に基づいて屋外コンセント４の使用状態の変化を判定し、屋外コンセント４の使用状態が変化したと判定されるときに、音声出力部１５により屋外コンセント４の使用状態の変化を音声メッセージとしてスピーカ１７から出力させる機能を有している。
【００２３】
ドアホン子器２は、その構成を機能的に捉えた場合、図３に示すように、電源受電部３１と、カメラ部３２と、映像伝送部３３と、呼出し操作入力部３４と、通話制御部３５と、スピーカ３６と、マイク３７と、制御部３８とを備えた構成とされている。
【００２４】
電源受電部３１は、インターホン親機１の電源生成部１１により生成され電源供給部１２から２線式信号線を介して供給される電源を受電する。本実施形態のドアホン子器２は、この電源受電部３１にて受電した電源、すなわちインターホン親機１から供給される電源によって動作する構成となっている。
【００２５】
カメラ部３２は、制御部３８による制御に従って、ドアホン子器２が設置された住居の玄関周りの映像を撮影する。このカメラ部３２により撮影された映像の映像信号は、映像伝送部３３から２線式信号線を介してインターホン親機１に伝送され、インターホン親機１の映像表示部２０にモニタ表示される。
【００２６】
呼出し操作入力部３４は、来訪者により呼出しボタンが押圧操作されたときに、その操作入力を受け付けて呼出し操作の操作信号を制御部３８に伝送する。
【００２７】
通話制御部３５は、制御部３８による制御に従ってインターホン親機１との間でのドアホン子器２による通話を制御するものであり、マイク３７から入力された音声信号を２線式信号線を介してインターホン親機１に伝送するとともに、インターホン親機１から２線式信号線を介して伝送された音声信号に応じてスピーカ３６を動作させて、インターホン親機１からの音声を出力させる。また、この通話制御部３５は、来訪者により呼出しボタンが押圧操作されたときに、制御部３８による制御に従って呼出し操作の操作信号を２線式信号線を介してインターホン親機１に伝送するとともに、バックトーンをスピーカ３６から出力させる機能も有する。
【００２８】
制御部３８は、インターホン親機１との間での通話やバックトーンの出力、カメラ部３２による映像の撮影やその映像信号の伝送など、ドアホン子器２の全体の動作を統括的に制御する。
【００２９】
次に、以上のように構成されるインターホンシステムの動作について説明する。
【００３０】
来訪者が住居の玄関先にてドアホン子器１の呼出しボタンを押圧操作すると、呼出し操作の操作信号がドアホン子器１からインターホン親機１に伝送され、インターホン親機１のスピーカ１７から呼出し音が出力されるとともに、ドアホン子器２のスピーカ３６からバックトーンが出力される。また、このとき、ドアホン子器２のカメラ部３２による映像の撮影が開始され、その映像信号がインターホン親機１に伝送されて、インターホン親機１の映像表示部２０に玄関周りの映像がモニタ表示される。
【００３１】
その後、インターホン親機１の通話制御部１６とドアホン子器２の通話制御部３５により、インターホン親機１およびドアホン子器２が通話可能な状態とされる。そして、住居の居住者がインターホン親機１のマイク１８に向かって発話すると、その居住者の音声がドアホン子器２のスピーカ３６から出力され、来訪者がドアホン子器２のマイク３７に向かって発話すると、その来訪者の音声がインターホン親機１のスピーカ１７から出力される。
【００３２】
また、本実施形態のインターホンシステムでは、屋外コンセント４に流れ込む電流を検知する電流検知器５からの信号がインターホン親機１に入力されており、インターホン親機１の制御部２１が、この電流検知器５からの信号に基づいて屋外コンセント４の使用状態の変化を判定している。そして、屋外コンセント４の使用状態が変化したときには、インターホン親機１の音声出力部１５が、その使用状態の変化を居住者に報知するための音声メッセージを、インターホン親機１のスピーカ１７から出力させるようにしている。
【００３３】
例えば、盗電行為などにより屋外コンセント４の使用が開始されると、屋外コンセント４に流れ込む電流が増加するため、電流検知器５からの信号がこの電流変化に応じて変化する。インターホン親機１の制御部２１は、この電流検知器５からの信号の変化から、屋外コンセント４の使用状態が「未使用」から「使用」に変化したと判定する。この場合、音声出力部１５が、屋外コンセント４の使用状態が「未使用」から「使用」に変化したことを報知する音声メッセージ、例えば「屋外のコンセントが使用されています。確認してください。」といった音声メッセージを、スピーカ１７から出力させる。
【００３４】
また、屋外コンセント４の使用が終了すると、屋外コンセント４に流れ込む電流が減少するため、電流検知器５からの信号がこの電流変化に応じて変化する。インターホン親機１の制御部２１は、この電流検知器５からの信号の変化に基づき、屋外コンセント４の使用状態が「使用」から「未使用」に変化したと判定する。この場合、音声出力部１５は、屋外コンセント４の使用状態が「使用」から「未使用」に変化したことを報知する音声メッセージ、例えば「屋外のコンセントからプラグが外されました。確認してください。」といった音声メッセージを、スピーカ１７から出力させる。
【００３５】
図４は、以上のような屋外コンセント４の使用状態の変化を報知する機能を実現するために、インターホン親機１により実行される処理の具体例を示すフローチャートである。
【００３６】
まず、ステップＳ１０１において、電流検知器５から出力された信号が信号入力部１２に所定間隔で入力される。そして、ステップＳ１０２において、ステップＳ１０１で信号入力部１２に入力された電流検知器５からの信号に基づいて、屋外コンセント４に流れ込む電流が変化したか否かが制御部２１により判定される。このステップＳ１０１での信号入力とステップＳ１０２での判定は、屋外コンセント４に流れ込む電流が変化するまで繰り返され、屋外コンセント４に流れ込む電流が変化したと判定されると、次のステップＳ１０３に進む。
【００３７】
ステップＳ１０３では、制御部２１によって屋外コンセント４に流れ込む電流が増加したのか減少したのかの判断がなされ、屋外コンセント４に流れ込む電流が増加している場合には屋外コンセントの使用状態が「未使用」から「使用」に変化したと判定されて、ステップＳ１０４に進む。一方、屋外コンセント４に流れ込む電流が減少している場合には屋外コンセントの使用状態が「使用」から「未使用」に変化したと判定されて、ステップＳ１０６に進む。
【００３８】
ステップＳ１０４では、音声出力部１５により、屋外コンセント４の使用が開始されたことを住居の居住者に報知する音声メッセージ、例えば「屋外のコンセントが使用されています。確認してください。」といった音声メッセージがスピーカ１７から出力される。その後、ステップＳ１０５において、以上のような屋外コンセント４の使用開始の音声メッセージを出力したことを示すフラグがオンされて、リターンする。
【００３９】
一方、ステップＳ１０６では、屋外コンセント４の使用開始の音声メッセージを出力したことを示すフラグがオンになっているか否かが確認され、フラグがオンになっていること、つまり屋外コンセント４の使用開始の音声メッセージが前回出力されていることを条件として、ステップＳ１０７において、屋外コンセント４の使用が終了されたことを住居の居住者に報知する音声メッセージ、例えば「屋外のコンセントからプラグが外されました。確認してください。」といった音声メッセージが、スピーカ１７から出力される。そして、屋外コンセント４の使用開始の音声メッセージを出力したことを示すフラグがオフに切り替えられて、リターンする。なお、ステップＳ１０６においてフラグオンが確認できない場合は、何らかの要因で誤動作が生じているものとして、音声メッセージの出力が行われることなくリターンする。
【００４０】
なお、以上の例では、インターホン親機１が、電流検知器５からの信号を所定間隔で入力し、この電流検知器５からの信号の変化を監視して、屋外コンセント４に流れ込む電流の変化を判定するようにしているが、屋外コンセント４に流れ込む電流が変化したときに、電流検知器５からインターホン親機１に対して電流変化を示す信号が出力されるようにして、インターホン親機１が、この電流変化を示す信号が入力されたときに屋外コンセント４に流れ込む電流が変化したと判定するようにしてもよい。
【００４１】
以上、具体的な例を挙げながら詳細に説明したように、本実施形態のインターホンシステムは、屋外コンセント４に流れ込む電流を検知する電流検知器５からの信号に基づいて屋外コンセント４の使用状態が変化したと判定されるときに、インターホン親機１が屋外コンセント４の使用状態の変化を住居の住民に報知するための音声メッセージを出力するようにしている。したがって、このインターホンシステムによれば、屋外コンセント４の使用状態が変化したことを住居の住民に的確に認識させることができ、住居の住民は、例えば、屋外コンセント４の使用状態が「未使用」から「使用」に変化したことを示す音声メッセージを聞くことで、屋外コンセント４からの盗電行為などが行われていることを認識し、また、屋外コンセント４の使用状態が「使用」から「未使用」に変化したことを示す音声メッセージを聞くことで、屋外コンセント４に差し込んでいたプラグがいたずら等により外されたことなど認識して、屋外コンセント４の設置位置への見回りなど、必要な対応を図ることができる。
【００４２】
また、本実施形態のインターホンシステムにおけるドアホン子器２は、カメラ部３２により玄関周りの映像を撮影する機能やスピーカ３６から音声を出力する機能を有しており、このドアホン子器２が、屋外コンセント４の使用状態の変化を判定するインターホン親機１と接続されているので、屋外コンセント４の使用状態が変化したときに、例えばドアホン子器２のカメラ部３２により不審者の映像を撮影したり、ドアホン子器２のスピーカ３６から不審者に対する警告を音声出力したりといった対応を図ることも可能である。
【００４３】
［第２実施形態］
次に、本発明の第２実施形態について説明する。本実施形態のインターホンシステムは、図５に示すように、屋外コンセント４の使用状態を監視する屋外コンセント監視手段として、第１実施形態で説明した電流検知器５の代わりにプラグ差し込み検知器６を用い、このプラグ差し込み検知器６を信号線によってインターホン親機１に接続し、プラグ差し込み検知器６からの信号をインターホン親機１に入力して、屋外コンセント４の使用状態の変化をインターホン親機１にて判定できるようにした例である。なお、本実施形態のインターホンシステムにおけるその他の構成は上述した第１実施形態と同じであるため、以下では第１実施形態と重複する説明は省略して、本実施形態に特徴的な部分についてのみ説明する。
【００４４】
図６は、屋外コンセント４の使用状態を監視するためのプラグ差し込み検知器６の具体例を示す図である。プラグ差し込み検知器６は、例えば図６に示すように、屋外コンセント４内部に内蔵されたマイクロスイッチ６ａを有し、このマイクロスイッチ６ａのオン／オフにより屋外コンセント４に対するプラグの抜き差しを検知する。マイクロスイッチ６ａは、例えば、屋外コンセント４の一対のプラグ端子挿入孔４ａ，４ｂの間で操作子を外部に露出させ、屋外コンセント４にプラグが差し込まれたときに操作子が押圧されてオンする構成である。
【００４５】
本実施形態のインターホンシステムでは、このプラグ差し込み検知器６からの信号、つまり屋外コンセント４に対するプラグの抜き差しに対応するマイクロスイッチ６ａのオン／オフ信号がインターホン親機１の信号入力部１２に入力され、インターホン親機１の制御部２１が、このプラグ差し込み検知器６からの信号に基づいて屋外コンセント４の使用状態の変化を判定している。そして、屋外コンセント４の使用状態が変化したときには、インターホン親機１の音声出力部１５が、その使用状態の変化を居住者に報知するための音声メッセージを、インターホン親機１のスピーカ１７から出力させるようにしている。
【００４６】
例えば、盗電行為などにより屋外コンセント４の使用が開始されると、屋外コンセント４にプラグが差し込まれるため、このプラグの差し込みによりプラグ差し込み検知器６のマイクロスイッチ６ａが押圧され、プラグ差し込み検知器６からインターホン親機１の信号入力部１２にスイッチオン信号が入力される。インターホン親機１の制御部２１は、このプラグ差し込み検知器６からのスイッチオン信号が信号入力部１２に入力されると、屋外コンセント４の使用状態が「未使用」から「使用」に変化したと判定する。この場合には、音声出力部１５が、屋外コンセント４の使用状態が「未使用」から「使用」に変化したことを報知する音声メッセージ、例えば「屋外のコンセントが使用されています。確認してください。」といった音声メッセージを、スピーカ１７から出力させる。
【００４７】
また、屋外コンセント４の使用が終了すると、屋外コンセント４に差し込まれていたプラグが抜かれるため、プラグによるマイクロスイッチ６ａの押圧が解除され、プラグ差し込み検知器６からインターホン親機１の信号入力部１２にスイッチオフ信号が入力される。インターホン親機１の制御部２１は、このプラグ差し込み検知器６からのスイッチオフ信号が信号入力部１２に入力されると、屋外コンセント４の使用状態が「使用」から「未使用」に変化したと判定する。この場合には、音声出力部１５が、屋外コンセント４の使用状態が「使用」から「未使用」に変化したことを報知する音声メッセージ、例えば「屋外のコンセントからプラグが外されました。確認してください。」といった音声メッセージを、スピーカ１７から出力させる。
【００４８】
図７は、本実施形態のインターホンシステムにおいて、以上のような屋外コンセント４の使用状態の変化を報知する機能を実現するために、インターホン親機１により実行される処理の具体例を示すフローチャートである。
【００４９】
まず、ステップＳ２０１において、プラグ差し込み検知器６からのスイッチオン／オフ信号が信号入力部１２に所定間隔で入力される。そして、ステップＳ２０２において、ステップＳ２０１で信号入力部１２に入力されたプラグ差し込み検知器６からの信号に基づいて、屋外コンセント４の使用状態が変化したか否かが制御部２１により判定される。このステップＳ２０１での信号入力とステップＳ２０２での判定は、屋外コンセント４の使用状態が変化するまで繰り返され、屋外コンセント４の使用状態が変化したと判定されると、次のステップＳ２０３に進む。
【００５０】
ステップＳ２０３では、制御部２１によって屋外コンセント４の使用状態が「未使用」から「使用」に変化したのか、或いは「使用」から「未使用」に変化したのかが判定され、「未使用」から「使用」に変化した場合にはステップＳ２０４に進み、「使用」から「未使用」に変化した場合にはステップＳ２０６に進む。
【００５１】
ステップＳ２０４では、音声出力部１５により、屋外コンセント４の使用が開始されたことを住居の居住者に報知する音声メッセージ、例えば「屋外のコンセントが使用されています。確認してください。」といった音声メッセージがスピーカ１７から出力される。その後、ステップＳ２０５において、以上のような屋外コンセント４の使用開始の音声メッセージを出力したことを示すフラグがオンされて、リターンする。
【００５２】
一方、ステップＳ２０６では、屋外コンセント４の使用開始の音声メッセージを出力したことを示すフラグがオンになっているか否かが確認され、フラグがオンになっていること、つまり屋外コンセント４の使用開始の音声メッセージが前回出力されていることを条件として、ステップＳ２０７において、屋外コンセント４の使用が終了されたことを住居の居住者に報知する音声メッセージ、例えば「屋外のコンセントからプラグが外されました。確認してください。」といった音声メッセージが、スピーカ１７から出力される。そして、屋外コンセント４の使用開始の音声メッセージを出力したことを示すフラグがオフに切り替えられて、リターンする。なお、ステップＳ２０６においてフラグオンが確認できない場合は、何らかの要因で誤動作が生じているものとして、音声メッセージの出力が行われることなくリターンする。
【００５３】
なお、以上の例では、インターホン親機１が、プラグ差し込み検知器６からの信号を所定間隔で入力し、このプラグ差し込み検知器６からの信号の変化を監視して、屋外コンセント４の使用状態の変化を判定するようにしているが、プラグ差し込み検知器６のマイクロスイッチ６ａのオン／オフが変化したときのみ、プラグ差し込み検知器６からインターホン親機１に対してスイッチオン／オフ信号が出力されるようにして、インターホン親機１が、このスイッチオン／オフ信号が入力されたときに屋外コンセント４の使用状態が変化したと判定するようにしてもよい。
【００５４】
以上、具体的な例を挙げながら詳細に説明したように、本実施形態のインターホンシステムは、屋外コンセント４に対するプラグの抜き差しを検知するプラグ差し込み検知器６からの信号に基づいて屋外コンセント４の使用状態が変化したと判定されるときに、インターホン親機１が屋外コンセント４の使用状態の変化を住居の住民に報知するための音声メッセージを出力するようにしている。したがって、このインターホンシステムによれば、第１実施形態のインターホンシステムと同様、屋外コンセント４の使用状態が変化したことを住居の住民に的確に認識させることができ、住居の住民は、例えば、屋外コンセント４の使用状態が「未使用」から「使用」に変化したことを示す音声メッセージを聞くことで、屋外コンセント４からの盗電行為などが行われていることを認識し、また、屋外コンセント４の使用状態が「使用」から「未使用」に変化したことを示す音声メッセージを聞くことで、屋外コンセント４に差し込んでいたプラグがいたずら等により外されたことなど認識して、屋外コンセント４の設置位置への見回りなど、必要な対応を図ることができる。
【００５５】
なお、以上説明した第１実施形態および第２実施形態は、本発明の一適用例を例示したものであり、本発明の技術的範囲が以上の各実施形態で説明した内容に限定されることを意図するものではない。つまり、本発明の技術的範囲は、以上の各実施形態の説明により開示した具体的な技術事項に限らず、この開示から容易に導きうる様々な変形、変更、代替技術なども含むものである。
【図面の簡単な説明】
【００５６】
【図１】第１実施形態のインターホンシステムを示すシステム構成図である。
【図２】インターホン親機の機能的な構成を示すブロック図である。
【図３】ドアホン子器の機能的な構成を示すブロック図である。
【図４】第１実施形態のインターホンシステムにおいて、屋外コンセントの使用状態の変化を報知する機能を実現するためにインターホン親機により実行される処理の具体例を示すフローチャートである。
【図５】第２実施形態のインターホンシステムを示すシステム構成図である。
【図６】屋外コンセントの使用状態を監視するためのプラグ差し込み検知器の具体例を示す図である。
【図７】第２実施形態のインターホンシステムにおいて、屋外コンセントの使用状態の変化を報知する機能を実現するためにインターホン親機により実行される処理の具体例を示すフローチャートである。
【符号の説明】
【００５７】
１  インターホン親機
２  ドアホン子器
４  屋外コンセント
５  電流検知器
６  プラグ差し込み検知器
１２  信号入力部
１５  音声出力部
２１  制御部
【図１】
2009290347.tif 000003
【図２】
2009290347.tif 000004
【図３】
2009290347.tif 000005
【図４】
2009290347.tif 000006
【図５】
2009290347.tif 000007
【図６】
2009290347.tif 000008
【図７】
2009290347.tif 000009